(57)【要約】【課題】  室内用の従来の形状は単純なケージ（通称）であったり画一的な犬小屋風のもので、ペットの排便排尿と遊び寝る場所が特定されることはなく、ペット自体の居心地や躾の場等生活の区切りの点でも解決を求められていた。かつ、無機能な単一構築物のものであるため現代の新しい居住空間にマッチするファション感覚や、製品の中で回遊したり製品そのものを観賞堪能することは無い。【解決手段】  ロフト式とスロープ式に分離した本体を連結し視野に入る各面を取外し自在のネットないし開閉式とし、ペットの上段・下段の行き来を可能とさせ行動量・行動領域を拡大させている。かつ本体内の内容物の取出し清掃等対応が簡便となり、取出し目在の収納ボックスが臭いの課題を大きく改善させている。同一体の増結や居住宅の広さに応じそれぞれの本体の組合わせ・連結を可能とし、活用幅を増やし併せてペットを観賞する領域を増大させ、多機能性を一体化することにより問題点を解消している。【選択図】図１
0003121801.tif 000002
【実用新案登録請求の範囲】
【請求項１】
直方体の骨組み本体の中間を上段・下段に板等の適宜素材にて仕切り、本体の裏面と底部を板等の適宜素材にて覆い、正面と１側面の上段と下段に取外し自在のネット（金属製・合成樹皮又は木製→以下同じ）を設け、他の側面の下段部分の３分の１手前と上段部分の３分の１後方を粗い網目状の適宜素材を用いて蝶番を取付けた開閉自在の扉とし、他の部分は同じ粗い網目状のもの等で固定し、上面の後方から３分の１の面を板等の適宜素材にて固定し同一面の他の３分の２の面を同一材質による蝶番を取付けた開閉式の蓋とし、全体をロフト式（上段・下段の２階建て、以下同じ）とし裏面を除く周囲３面と上面を取外し自在又は開閉式としたところを特徴とする室内用ロフト式ペットハウス。
【請求項２】
直方体の骨組み本体の裏面と底部を板等の適宜素材にて覆い、前面と請求項１の本体に接しない２面を取外し自在のネットとし、請求項１の本体に接しない反対面の後方下部に引き出しを設け小物等の収納庫とし、請求項１の本体に接しない側の内側角部２ケ所に踊場を設け螺旋状の適宜素材を用いたスロープを前面から３面に亙って設け、本体の中心部分であるスロープの内側から請求項１の本体に接する側にかけてスロープの内側の壁の機能を有する周囲をネット状にした取外し自在の直方体状の消臭剤等の収納ボックス（以下収納ボックス）を設け、収納ボックスを納める処の請求項１の本体に接する側に２本の柱を立て収納ボックスの出し入れを容易にし、請求項１と同じく上面の後方の３分の１を板等で固定し他を蝶番を用いた開閉式の蓋とし、請求項１と連結することで一体となりペット（主に犬、以下同じ）の行動範囲と観察領域を大幅に広げ、より立体感のあるものとしたところを特徴とする室内用ロフト式ペットハウス。
【考案の詳細な説明】
【技術分野】
【０００１】  本考案は、スロープを用いロフト式とし側面にネットを多用し上面を開放式とし消臭効果を取り入れ、ペットの行動範囲を飛躍的に高める室内用ロフト式ペットハウスに関するものである。
【背景技術】
【０００２】  室内用としては、殆どの製品は底を合成樹皮製品とした周囲をネット（通称ケージ）で囲んだもので、１ケ所の出入り口を設けネットの組み立て式としており、極めて単調な造りと簡易な素材で製品化されているのが実状である。犬小屋風のものは、小屋の内部は風通しが利かず暗く視野が届かず、汚物等の処理やメンテの面で難点が多く、見栄えは良くしているが室内用としての実用性やペット自体からの居住性は無視されている傾向が高く、製品として長持ち長続きしなくインテリアとしても評価されるものはなく、スロープ状の階段を備えるロフト式や連結式も無く、消臭剤等をセッティング可能にした製品も皆無である。
【考案の開示】
【考案が解決しようとする課題】
【０００３】  従来製品は４面（周囲）をネットで囲んだものであったり犬小屋風のものであれば、排便排尿と遊び寝る場所が特定されないため、ペット自体の生活の区切りや躾もできず居住性は解決されていない。かつ、無機能な単一構造物の囲いや室内に於ける屋根のある犬小屋となれば、ファション性からも変異なものとしか写らずペットの行動を人が生活の場で看取し楽しむこともなく、問題は殆ど解決されていないのが現状である。
ペット自体の居心地や住居内での人とペットとの融合が如何に永続的に計れるかが本考案の原点であり、ロフト式による生活の区切りやスロープ状の階段、ネットの多用、消臭剤のセッティング、連結式等、多機能性として一体化することにより前述の欠点を解決しようとするものである。
【課題を解決するための手段】
【０００４】  本考案は、住居内での人とペットとの融合を原点としテ−マとしていることから、何よりも囲いの中で躍動するペットの行動がつぶさにかつ楽しく観察でき得るべく、変化に富んだ空間を設けペットの行動範囲を広げ、それらを品位ある居宅家具と対比鑑賞するに値する玲瓏な格調高い家具調ペットハウスとするため、請求項１の本体の中間を上段・下段に仕切り、前面（正面）の上下２面と請求項２の本体に接しない側面の上下２面を取外し自在のネットとすることで同一体の増結をも可能とし、上部は３分の１の奥の部分を固定し前部の３分の２を蝶番を取付けた開閉自在の蓋とすることで上部・前面部・側面部とも開放を自在とし内部の手入れを等を容易とする。
請求項１の本体に連結する請求項２の本体は前面と請求項１の本体に接しない側面を取外し自在のネットとしスロープの後方下部に小物入れの引き出しを設け収納庫とし、請求項１の本体の下段前部に接する処を起点として請求項１の本体の上段後部に至る２つの踊場を通るスロープを設け、スロープの内側の壁の機能を有する取外し自在の収納ボックスを設け上面からの出し入れを可能としている。
本考案は、ペットの行動（生活）の区切りを習慣化するため、請求項１の本体の下段を躾（排便排尿等）用とし、上段を遊び休み寝るフロアの階層式とすることによってペットの生活機能を高め、その機能を支え促進し併せてペットの臭いを和らげ解消する機能を補完し、スロープ状の階段とする請求項２の本体を連結することによって、機能性の一体化が計れより一層の利便性を高め問題点を解消している。
さらに、ネットの多用と上部を開放自在とするためペットの視野が拡大され空気の流れが確保され、消臭剤のセッティングと機能的に区分けされた２つのフロア（上段・下段）によって複数のペットの飼育にも効果的で、特にペットの出産から子育て時期には優れた効果が発揮され得るものでより高い次元で問題点を解消している。
【考案の効果】
【０００５】  上述の様に、請求項１・請求項２の本体とも周囲のネットの出し入れを自在とし、上部に蝶番を取付けた開閉式の蓋とすることで、上面からも各側面からもペットの出し入れや内部の清掃・トイレシートやマット等の交換がより簡便となり、請求項２の本体に設置する取出し自在の収納ボックスはスロープ状の階段の内側の壁ともなり、請求項２の側面に設置する小物入れ収納庫も含め機能性を多岐に高めペットの観望の領域を著しく高めたものである。
また、請求項１の本体は単独で機能できる仕組みを持ち、居宅内の広さに応じて増結が可能ともなり、請求項２はスロープの出入口を反対側にすることで一部（スロープ入口の上部）の補修（取付け部品化可能）をすることで請求項１の本体の別サイドに連結可能となり、請求項１の本体の両サイドを請求項２の本体で連結することでペットの周回行動が可能となり更なる機能が高まる。
なお、請求項１・請求項２ともサイズを変えることでペットの大小（犬であれば小型犬・中型犬・大型犬等）に対応でき、設置場所等を含め活用幅も増大する。
【考案の実施するための最良の形態】
【０００６】  請求項１の本体の上面前部の開放自在の蓋とすることで、上部からのペットや室内物の出し入れやフロア内の清掃等を簡便に実施できるとしている。前面の上段・下段のネットは下段の位置を上段の位置より前方とすることで両段のネットが上方への取外しを自在としており前述の機能を維持している。さらに請求項２の本体に接しない側面の上段・下段のそれぞれのネットは前方への取外しを自在としており、請求項１の本体と別個の請求項１の本体の増結を可能としており出入口を逆にした請求項２の本体との連結も可能であることから利用幅を一層拡大している。
請求項２の本体の上面前部の開放自在の蓋は、中央部に設けた収納ボックスの上方への出し入れを自在とし、収納ボックスを納める請求項１の本体に接する処に２本の柱を設けることで収納ボックスのずれを解消し収納をスムーズにし、請求項１の本体の下段前方部に接する処を起点として請求項１の本体の上段後方部に至る二つの踊り場を通る螺旋状のスロープでペットの上り下りを自在とし、前述の収納ボックスがスロープの内側の壁の機能ともなってペットのスロープからの落下を防いでいる。さらに前面と請求項１の本体に接しない側面のネットの取外し自在によりスロープや収納ボックスの保守管理等が簡易にでき、スロープの下部の収納庫は小物入れ等として機能を増幅させ、相当量の消臭剤等の収納機能を保持し消臭効果を堅持でき得るものとなる。
【実施例】
【０００７】  以下、添付図面に従って実施例を説明する。１は木製等の適宜素材にて一体化形成された室内用ロフト式ペットハウス請求項１の本体。２は請求項１の後部を固定した上面で蝶番（図示せず）にて枢着した開放自在の蓋２ａでペットや置物等の上部からの出し入れを容易にしている。３は請求項１の上段・下段を区分する中板、４は請求項１の前面部で２段のネットと一部分を木製等の適宜素材にて格子状に形成された４ｃで、２段のネットを上方への取出し自在（断面図を４ｄ）としたもので前述の効果と清掃等の作業の効用が高い、４ｅは側面５（図示せず）のネット（５ａ・５ｂだが図示せず）の取出し口の拡大図を表している。６は請求項１の請求項２に接する側面で、ペットが上段に行くために下段６ａから請求項２を登り６ｂを通り上段に至るもので、請求項２と結合さる場合は蝶番の扉を内側に開け、請求項１を独立して使用する場合は扉を閉めることで達成され、他の部分の６ｃは扉と同じ形成物とするも同一面の６ｅ部を図では板と表示しているがこの面に接する請求項１のスロープの垂直の下部は板等で形成されているので６ｃと同一形成物の必要性はない。【０００８】  ７は木製等の適宜素材にて一体化形成された室内用ロフト式ペットハウス請求項２の本体。８は請求項２の上面で後部８ｂを固定し蝶番にて枢着した開放自在の蓋８ａで収納ボックス１２の出入れを容易にしている。９は請求項２の前面部でネット９ａの上方への出入れを自在にし内部の保守点検等を容易にしている。１０は請求項１に接しない側面でネット１０ａの上方への取出しを自在にし収納庫１０ｂを設け小物入れ等の機能を備えている。１１は請求項２の内部のスロープで途中スロープの曲り角を踊場１１ａ・１１ｂを経て請求項１の上段に至るもので、ペットの往来を自在にしている。１２は請求項２の内部の直方体の収納ボックスの収納部で、スロープに接する３面をそれぞれの高さに準じた板等の壁とし１２ａ、スロープの位置の高さから上方部は空気の通りを良くするネット状ないしそれに代わる適宜素材にて本体の下部から上面の蓋まで一体化形成されたもの１２ａで炭や消臭剤等を収納する機能を保持し、取出し自在によって内容物の交換等が簡単にでき機能が増幅される。１３は請求項１に接する側面で、収納ボックスを支える２本の柱（１３ａ・１３ｂ）と、スロープ最上部の下部（図示せず）を板等で覆うことで、請求項１と連結した際の当考案の目的と本来の機能が発揮できるものとする。【０００９】  上述の様に、室内用ロフト式ペットハウスはペットの収容場所として用いることは勿論、住居内での人とペットとの融合を原点としテーマとした課題を、階層式・回遊式・連結式とすることで観察領域を大きく広げ、変化に富んだ空間として見る楽しみを革新的に変えるものとして創造し具現化している。ペットの出産・子育て、排便・排尿、遊び休み寝ることの生活サイクルを考慮し、併せて行動範囲を大きく広げている。さらに、臭いの解消のための本体への構築物のセッティング、居住宅内に融和しインテリア効果をもたらし外観も家具調に仕上げることにより、ペット自体と飼育する人間社会の生活に新たな変化とより一層の利便性を向上させるものである。
また、本考案は組み立てによる製品化も容易である。
【図面の簡単な説明】
【００１０】
【図１】  本考案の室内用ロフト式ペットハウス〔請求項２〕の一実施例を示す立体図である。本考案の室内用ロフト式ペットハウス〔請求項１〕の一実施例を示す立体図である。
【図２】  請求項１・請求項２に共通する上方へ出し入れするネットを支える断面図である
【図３】  請求項１の前面部の上段・下段のネット支える断面図である
【図４】  請求項１の前面部の上段・下段のネットの出し入れ口の詳細図である
【図５】  請求項２の収納ボックスの周囲４面の図である
【符号の説明】
【００１１】  １  室内用ロフト式ペットハウス請求項１の本体
２  請求項１の上面
３  請求項１の前面部
４  請求項１の中板
５  請求項２に接しない請求項１の側面
６  請求項２に接する請求項１の側面
７  室内用ロフト式ペットハウス請求項２の本体
８  請求項２の上面
９  請求項２の前面
１０  請求項１に接しない請求項２の側面
１１  請求項２の内部のスロープ
１２  請求項２の内部の脱臭剤等収納ボックス
１３  請求項１に接する請求項２の側面
【図１】
0003121801.tif 000003
【図２】
0003121801.tif 000004
【図３】
0003121801.tif 000005
【図４】
0003121801.tif 000006
【図５】
0003121801.tif 000007
【手続補正書】
【提出日】平成18年2月20日(2006.2.20)
【手続補正１】
【補正対象書類名】実用新案登録請求の範囲
【補正対象項目名】全文
【補正方法】変更
【補正の内容】
【実用新案登録請求の範囲】
【請求項１】
直方体の骨組み本体の中間を上段・下段に板等の適宜素材にて仕切り、本体の裏面と底部を板等の適宜素材にて覆い、正面と１側面の上段と下段に取外し自在のネットを設け、他の側面の下段部分の３分の１手前と上段部分の３分の１後方を粗い網目状の適宜素材を用いて蝶番を取付けた開閉自在の扉とし、他の部分は同じ粗い網目状のもの等で固定し、上面の後方から３分の１の面を板等の適宜素材にて固定し同一面の他の３分の２の面を同一材質による蝶番を取付けた開閉式の蓋とし、全体をロフト式とし裏面を除く周囲３面と上面を取外し自在又は開閉式としたところを特徴とする室内用ロフト式ペットハウス。
【請求項２】
直方体の骨組み本体の裏面と底部を板等の適宜素材にて覆い、前面と請求項１の本体に接しない２面を取外し自在のネットとし、請求項１の本体に接しない反対面の後方下部に引き出しを設け小物等の収納庫とし、請求項１の本体に接しない側の内側角部２ヶ所に踊場を設け螺旋状の適宜素材を用いたスロープを前面から３面に亙って設け、本体の中心部分であるスロープの内側から請求項１の本体に接する側にかけてスロープの内側の壁の機能を有する周囲をネット状にした取外し自在の直方体状の消臭剤等の収納ボックス（以下収納ボックス）を設け、収納ボックスを納める処の請求項１の本体に接する側に２本の柱を立て収納ボックスの出し入れを容易にし、請求項１と同じく上面の後方の３分の１を板等で固定し他を蝶番を用いた開閉式の蓋とし、請求項１と連結することで一体となりペットの行動範囲と観察領域を大幅に広げ、より立体感のあるものとしたところを特徴とする請求項１記載の室内用ロフト式ペットハウス。